(57)【要約】【課題】加熱調理装置の吸気口に配備したフィルタを容易に着脱できるようにしてそのメンテナンス特性を高めたことを目的とする。【解決手段】扉体で開閉される調理室を有する装置本体１の一部に冷却空気の吸気口４を形成するとともに、この吸気口４に覆設されたフィルタ５は、磁気結合により吸気口形成部位に取付けるとともに、これらフィルタ５と吸気口形成部位との間には位置決め手段を形成したもので、これにより、フィルタ５の着脱操作性が著しく高められ、加えて、吸気口４を確実に覆うことができる。【選択図】図４
2007139305.tif 000002
【特許請求の範囲】
【請求項１】
扉体で開閉される調理室を有する装置本体と、この装置本体の一部に形成された冷却空気の吸気口と、前記吸気口に覆設されたフィルタとを具備し、磁気結合により前記フィルタを吸気口形成部位に取付けるとともに、これらフィルタと吸気口形成部位との間には位置決め手段を形成した加熱調理装置。
【請求項２】
吸気口形成部位を磁性材で構成し、フィルタに永久磁石を取着した請求項１記載の加熱調理装置。
【請求項３】
吸気口形成部位より突設され、径大の頭部を有するピンと、フィルタに形成され、スライド操作によって前記ピンに嵌り、その頭部で抜け止めがなされる切欠き部とで位置決め手段を構成した請求項１記載の加熱調理装置。
【請求項４】
磁気結合点を複数設けるとともに、相係合する凹、凸部を吸気口形成部位およびフィルタに形成して位置決め手段とした請求項１記載の加熱調理装置。
【請求項５】
閉成状態の扉体の下端面から装置本体の前方壁下端までの間隔をフィルタの高さとを略同一寸法とするとともに、この前方壁に吸気口を形成した請求項１記載の加熱調理装置。
【発明の詳細な説明】
【技術分野】
【０００１】
本発明は冷却用空気取入部にフィルタを着脱自在に装着した加熱調理装置に関するものである。
【背景技術】
【０００２】
電気ヒータによる加熱、高周波加熱、或いは、誘導加熱調理装置などの加熱調理装置にあっては、制御部の各種電気部品などの過熱を防止するために、冷却用の外部空気を導入するようにしている。そして、ごみなどが侵入しないようにこの外部空気導入部にはフィルタを設けておくのが一般的である。
【０００３】
従来のこの種加熱調理装置ではビスを用いてフィルタを取着しており、必要に応じてこのビスを外し、フィルタの取り外しができるようにしてあった。フィルタの取り外しは、ごみ詰まりや油汚れに対するメンテナンスのためである。
【０００４】
しかし、ビスによる取着手段では錆付などでビスの固化が発生し、時としてフィルタの取り外しができなくなることがあった。
【０００５】
フィルタではないが、加熱調理装置において、その排気口にグリルを着脱自在に配置するために、磁気結合による取着手段と、フックおよび係合孔とからなる機械的取着手段とを併設したものも見受けられる（例えば、特許文献１参照）。
【０００６】
そして、フィルタ装着に際しては、先ず、フィルタを回動操作するようにして係合孔にフックを係合し、次いで、フィルタを正規の位置まで戻すことで磁気による結合を図っていた。
【特許文献１】特開２００３−３２９２５０号公報
【発明の開示】
【発明が解決しようとする課題】
【０００７】
前記のようにフィルタをビスで取着したものでは、操作に手間がかかるだけでなく、場合によっては、フィルタの取り外しそのものができなくなり、そのメンテナンス面で大きな課題となっていた。
【０００８】
また、グリルを着脱自在をフィルタに採用した場合にもフィルタの着脱に手間を要し、加えて、その着脱に際してフィルタを確実に持って作業しなければならないので、フィルタの汚れ、例えば、油汚れなどで作業者の手などが汚くなる課題があった。
【０００９】
本発明はこのような従来の課題を解消したもので、簡単にフィルタの着脱ができるようにして、そのメンテナンス作業性を高めることを目的とするものである。
【課題を解決するための手段】
【００１０】
前記目的を達成するために本発明は、扉体で開閉される調理室を有する装置本体と、この装置本体の一部に形成され冷却空気の吸気口と、前記吸気口に覆設されたフィルタとを具備し、磁気結合により前記フィルタを吸気口形成部位に取付けるとともに、これらフィルタと吸気口形成部位との間には位置決め手段を形成したもので、前記位置決め手段によって、磁気結合のみの取付けにあってもフィルタの取付状態保持が確実になされる。
【発明の効果】
【００１１】
本発明の加熱調理装置は、磁気結合のみの取付けにあってもフィルタの取付状態保持が確実になされ、その着脱特性を大いに高めることができるものであり、メンテナンスのための作業性を著しく向上し得るものである。したがって、フィルタを常時良好に維持管理して、冷却空気の導入を確実にできるので、電気部品の故障なども可及的に抑えることが可能となる。
【発明を実施するための最良の形態】
【００１２】
本発明の加熱調理装置は、扉体で開閉される調理室を有する装置本体と、この装置本体の一部に形成され冷却空気の吸気口と、前記吸気口に覆設されたフィルタとを具備し、磁気結合により前記フィルタを吸気口形成部位に取付けるとともに、これらフィルタと吸気口形成部位との間には位置決め手段を形成したもので、位置決め手段によって、磁気結合のみの取付けにあってもフィルタの取付状態保持が確実になされる。
【００１３】
磁気結合手段は、例えば、吸気口形成部位を磁性材で構成し、フィルタに永久磁石を取着して構成することが考えられる。
【００１４】
また、位置決め手段は、吸気口形成部位より突設され、径大の頭部を有するピンと、フィルタに形成され、スライド操作によって前記ピンに嵌り、その頭部で抜け止めがなされる切欠き部とで構成すれば、単にスライドするだけの作業でフィルタの着脱が可能となる。
【００１５】
位置決め手段の他の具体的構成として、磁気結合点を複数設けるとともに、相係合する凹、凸部を吸気口形成部位およびフィルタに形成してもよい。
【００１６】
さらに、閉成状態の扉体の下端面から装置本体の前方壁下端までの間隔をフィルタの高さとを略同一寸法とするとともに、この前方壁に吸気口を形成しておくことも考えられ、この場合には、前記間隔がフィルタ着脱のガイドとなり、一段と作業性が高まる。
【００１７】
以下、本発明の実施の形態について、図面を参照しながら説明する。なお、この実施の形態によって本発明が限定されるものではない。
【００１８】
（実施の形態１）
図１，２において、高周波加熱方式などを採用した加熱調理調理装置は、装置本体１の前面に扉体２を具備し、調理室の前方を開閉するようにしてある。
【００１９】
装置本体１は、少なくともその前面壁３（調理室の開放縁に連なる立壁）が鉄板などの磁性材で構成されており、ここに横長の吸気口４が形成してある。そして、この吸気口４より装置本体１内に導入された外気は制御部の電気部品の冷却されるものである。
【００２０】
吸気口４に覆設されたフィルタ５は、一側に永久磁石６を有し、他側には側方に開放部をもつ切欠き部７が形成してある。
【００２１】
この切欠き部７は装置本体１の前面壁３より突設されたピン８に係合し、また、永久磁石６は磁性体からなる前面壁３に磁気的に吸着されるものである。ピン８は切欠き部７の幅よりも若干小径で、先端に同切欠き部７の幅よりも大径な頭部９が形成されている。
【００２２】
前記の構成において、フィルタ５の取付けは、先ず、スライド操作でその切欠き部７をピン８に係合させ、永久磁石６を前面壁３に磁気吸着させればよい。
【００２３】
切欠き部７とピン８との係合主目的は、フィルタ５の位置決めであるが、その大径頭部
９によってフィルタ５の支持にも役立つようになっている。
【００２４】
したがって、フィルタ５は一方が位置決め、支持されているため、磁気結合力が片側だけであっても確実に取着されることとなる。
【００２５】
また、フィルタ５が目詰まりが発生した場合とか汚れがひどい場合は、取着時とは逆方向にフィルタ５をスライドさせれば、ピン８から切欠き部７が離脱し、その結果、磁気結合を解消することで同フィルタ５を外すことができるものである。
【００２６】
着脱、特に離脱時にフィルタ５をスライド操作するだけでよいため、全体を手などで持っておく必要はなく、そのため、汚れがひどい場合にも手などの汚れは最小限とすることができるものである。
【００２７】
なお、閉成状態の扉体２の下端面から装置本体１の前方壁下端までの間隔ｔをフィルタＴの高さとを略同一寸法とするとともに、この前方壁に吸気口４を形成しておけば、前記間隔ｔをガイドとしてフィルタ５の着脱が効率的にできる。すなわち、ピン８と切欠き部７の位置合わせ、吸気口４に対するフィルタ５の位置合わせが簡単、かつ確実にできる。
【００２８】
（実施の形態２）
図３は実施の形態２を示し、図２と同一作用をもつ構成については同一符号を付し、具体的説明は実施の形態１のものを援用した。
【００２９】
すなわち、本実施の形態では、永久磁石６を設けた側にもう一つの第２の位置手段を配備したもので、相互に係合する凹、凸部１０，１１を前面壁３とフィルタ５に形成した構成である。
【００３０】
この構成によれば、フィルタ５の両側が位置決めされて磁気結合されるところから、一段とフィルタ５の取付けが性格に、かつ確実に行なわれることとなる。
【００３１】
（実施の形態３）
図４は実施の形態３を示し、図２と同一作用をもつ構成については同一符号を付し、具体的説明は実施の形態１のものを援用した。
【００３２】
すなわち、本実施の形態は、凹、凸部１０，１１および１２，１３からなる位置決め手段を両側に形成したものである。
【００３３】
この構成では、フィルタ５をスライドすることなく簡単に着脱できるものである。位置決めを確実にしておけば、磁気結合も確実となり、吸気口４からフィルタ５がずれることがない。
【産業上の利用可能性】
【００３４】
以上のように本発明にかかる加熱調理装置は、磁気結合のみの取付けにあってもフィルタの取付状態保持が確実になされ、その着脱特性を大いに高めることができるものであり、メンテナンスのための作業性を著しく向上し得るもので、加熱調理装置以外、フィルタを装備している機器への応用が可能である。
【図面の簡単な説明】
【００３５】
【図１】本発明の実施の形態１における加熱調理装置の正面図
【図２】同フィルタ取付部の断面図
【図３】本発明の実施の形態２におけるフィルタ取付部の断面図
【図４】本発明の実施の形態３におけるフィルタ取付部の断面図
【符号の説明】
【００３６】
１  装置本体
２  扉体
４  吸気口
５  フィルタ
６  永久磁石
７  切欠き部
８  ピン
９  頭部
１０，１１  凹部
１１，１３  凸部
【図１】
2007139305.tif 000003
【図２】
2007139305.tif 000004
【図３】
2007139305.tif 000005
【図４】
2007139305.tif 000006